(57)【特許請求の範囲】
【請求項１】
信号を受信する通常動作状態からスリープ状態への切替に先立って、通常動作のための第１の周波数のクロックと、スリープ時の制御のための第２の周波数のクロックとの周波数の比を記憶するステップと、
前記第１の周波数のクロックを停止して、前記通常動作状態から前記スリープ状態へ切り替えるステップと、
スリープ期間にわたって前記第２の周波数のクロックのクロック数をカウンタ素子によって計数するステップと、
前記クロック数が所定のしきい値に達したときに、前記通常動作状態へ復帰させるステップと、
前記クロック数が所定のしきい値に達する前に起動要求を検知したときに、前記クロック数を記憶し、前記カウンタ素子のカウント値として、前記所定のしきい値またはそれに近い値をロードし、前記第２の周波数のクロックに同期して前記通常動作状態へ復帰させるステップと、
前記周波数の比と、前記復帰させるステップにおいて記憶されたクロック数または前記しきい値とから、前記スリープ期間を前記第１の周波数のクロックを単位として算出するステップと、
前記算出するステップで算出された前記第１の周波数のクロックのクロック数を、前記信号を逆拡散するための拡散符号の符号長に相当するクロック数で除したときの剰余を算出するステップと、
前記剰余に基づいて前記信号に前記拡散符号を乗積するタイミングを推定するステップと、
を含むことを特徴とする移動通信端末における間欠受信方法。
【発明の詳細な説明】
【０００１】
【発明の属する技術分野】
この発明は、間欠受信技術に関する。この発明は、とくに、信号を間欠的に受信する方法、およびその方法を利用可能な間欠受信装置、およびそれらを利用可能な移動通信端末に関する。
【０００２】
【従来の技術】
近年、携帯電話やＰＨＳなどの無線通信システムの利用者が激増している。携帯電話の最大の利点は、外出時にも端末を携帯でき、いつでもどこでも着呼および発呼が可能な点にある。気軽に持ち歩けるという利点を最大限に活用するためにも、携帯電話を充電せずに連続して利用可能な時間、いわゆる連続待受時間をさらに長くする技術が求められている。事実、利用者が携帯端末を選ぶ際に、連続待受時間の長さは重要なファクターとなっている。
【０００３】
連続待受時間を向上させるためには、通話や、液晶画面への情報の表示など、ユーザが携帯電話を利用しているときの消費電力を低減するだけでなく、ユーザが携帯電話を利用していないとき、すなわち着信を待ち受けているときの消費電力を低減することが重要となる。着信待受時の消費電力を低減する技術として、ある受信時間だけ信号を受信して着信の有無を確認したあと、所定の期間スリープ状態となり、再びある受信期間だけ信号を受信するという動作を繰り返す、いわゆる間欠受信技術が知られている。
【０００４】
【発明が解決しようとする課題】
特開２０００−３６７７０号公報は、予め定められたスリープ期間が経過したときに、スリープ時に停止する速いクロックと、スリープ時にも動作する遅いクロックとの周波数誤差および位相誤差を反映したタイミングで、スリープ状態からウエイク状態へ復帰する技術を開示する。この公報に開示されている技術は、狭帯域通信方式に関するものであるが、第三世代の通信方式に採用されている符号分割多元接続（CDMA: Code Division Multiple Access）方式の場合は、受信信号と、その信号を逆拡散するための拡散符号とを同期させて乗積するため、問題はさらに複雑なものとなる。すなわち、いったんスリープしてウエイクするときにも、受信信号と拡散符号との同期の再捕捉を短時間で実現するような工夫が必要となる。
【０００５】
本発明はこうした背景からなされたものであり、その目的は、効率の良い間欠受信技術の提供と、移動通信端末の消費電力を低減する技術の提供にある。
【０００６】
【課題を解決するための手段】
本発明のある態様は、間欠受信方法に関する。この方法は、信号を受信する通常動作状態からスリープ状態への切替に先立って、通常動作のための第１の周波数のクロックと、スリープ時の制御のための第２の周波数のクロックとの周波数の比を記憶するステップと、前記第１の周波数のクロックを停止して、前記通常動作状態から前記スリープ状態へ切り替えるステップと、スリープ期間にわたって前記第２の周波数のクロックのクロック数を計測するステップと、スリープ中に起動要求を検知したときに、前記第２の周波数のクロックに同期して前記通常動作状態へ復帰させるステップと、前記周波数の比と、計測された前記第２の周波数のクロック数とから、前記スリープ期間を前記第１の周波数のクロックを単位として算出するステップとを含む。
【０００７】
第１の周波数のクロックは、各回路やＣＰＵの動作に用いられる高速なシステムクロックであってもよい。第２の周波数のクロックは、リアルタイムクロックＩＣなどに用いられる低速なスリープクロックであってもよい。スリープ期間中に高速なシステムクロックを停止することで、消費電力を低減することができる。また、スリープ中も動作するスリープクロックによりスリープ期間を計測することで、スリープ状態から通常動作状態へ復帰するときのタイミングを図り、拡散符号と受信信号の同期をとりやすくすることができる。スリープ前に周波数比を計測するから、後述の温度ドリフトの影響を排除しやすい。クロック周波数の比に代えて周期の比を用いてもよい。以下、周波数の比というとき、周期の比も含むものとする。
【０００８】
本発明の別の態様も、間欠受信方法に関する。この方法は、信号を受信する通常動作状態からスリープ状態への切替に先立って、通常動作のための第１の周波数のクロックと、スリープ時の制御のための第２の周波数のクロックとの周波数の比を記憶するステップと、前記第１の周波数のクロックを停止して、前記通常動作状態から前記スリープ状態へ切り替えるステップと、スリープ期間にわたって前記第２の周波数のクロックのクロック数を計測するステップと、前記クロック数が所定のしきい値に達したときに、前記通常動作状態へ復帰させるステップと、前記クロック数が所定のしきい値に達する前に起動要求を検知したときに、前記クロック数を記憶し、前記第２の周波数のクロックに同期して前記通常動作状態へ復帰させるステップと、前記周波数の比と、前記復帰させるステップにおいて記憶されたクロック数または前記しきい値とから、前記スリープ期間を前記第１の周波数のクロックを単位として算出するステップとを含む。
【０００９】
スリープ中に起動要求がないときには、所定のスリープ期間が経過したときに通常動作状態へ復帰し、スリープ中に起動要求があったときには、所定のスリープ期間の経過を待たずに通常動作状態へ復帰する。この場合も、スリープクロックによりスリープ期間を計測することで、通常動作状態への復帰のタイミングを図る。
【００１０】
この方法は、前記クロック数をカウンタ素子によって計数するステップをさらに含み、そのクロック数が前記所定のしきい値に達する前に起動要求が検出されたとき、前記カウンタ素子のカウント値として、前記所定のしきい値またはそれに近い値をロードしてもよい。
【００１１】
この方法は、前記算出するステップで算出された前記第１の周波数のクロックのクロック数を、前記信号を逆拡散するための拡散符号の符号長で除したときの剰余を算出するステップと、前記剰余に基づいて前記信号に前記拡散符号を乗積するタイミングを推定するステップとをさらに含んでもよい。これにより、通常動作状態へ復帰するときの同期捕捉を容易にすることができる。
【００１２】
本発明のさらに別の態様は、間欠受信装置に関する。この間欠受信装置は、通常動作のための第１の周波数のクロック信号を取得する第１のクロック取得部と、スリープ時の制御のための第２の周波数のクロック信号を取得する第２のクロック取得部と、スリープ要求および起動要求を検知して、通常動作状態とスリープ状態との間の切替を制御するスリープ制御部と、前記スリープ制御部が前記スリープ要求を検知したとき、前記第１の周波数と前記第２の周波数との比を記憶するクロック比測定部と、前記スリープ状態の期間にわたって前記第２の周波数のクロックのクロック数を計測し、前記クロック数と、前記比とから、前記スリープ状態の期間を前記第１の周波数のクロックを単位として算出するスリープ期間測定部とを備える。
【００１３】
本発明のさらに別の態様は、移動通信端末に関する。この移動通信端末は、信号を変調して送信する送信ユニットと、信号を受信して復調する受信ユニットと、前記送信ユニットおよび前記受信ユニットを制御する制御ユニットと、比較的高速な第１のクロックを利用して信号を受信および処理する通常動作状態と、比較的低速な第２のクロックを利用して最小限のシステム状態を維持しつつも信号の受信は途絶えるスリープ状態との間の切替を制御する間欠受信制御ユニットを備え、前記受信ユニットは、前記信号と、前記信号を逆拡散するための拡散符号とを同期させる同期制御部を有し、前記間欠受信制御ユニットは、通常動作状態からスリープ状態への移行に際して前記第１のクロックと前記第２のクロックの周波数比を計測するクロック比測定部と、スリープ状態では前記第１のクロックを停止させるスリープ制御部と、スリープ期間を前記第２のクロックで計測し、スリープ状態から通常動作状態への復帰に際し、前記周波数比をもとにスリープ期間を前記第１のクロックのクロック数に換算するスリープ期間測定部とを有し、前記同期制御部は、前記第１のクロックのクロック数を利用してシステムの同期状態を回復する。
【００１４】
本発明のさらに別の態様は、移動通信端末に関する。この移動通信端末は、信号を変調して送信する送信ユニットと、信号を受信して復調する受信ユニットと、前記送信ユニットおよび前記受信ユニットを制御する制御ユニットと、前記信号を受信する通常動作状態とスリープ状態との間の切替を制御する間欠受信制御ユニットを備え、前記受信ユニットは、前記信号と、前記信号を逆拡散するための拡散符号とを同期させる同期制御部を有し、前記間欠受信制御ユニットは、通常動作のための第１の周波数のクロック信号を取得する第１のクロック取得部と、スリープ時の制御のための第２の周波数のクロック信号を取得する第２のクロック取得部と、スリープ要求および起動要求を検知して、前記通常動作状態と前記スリープ状態との間の切替を制御するスリープ制御部と、前記スリープ制御部が前記スリープ要求を検知したとき、前記第１の周波数と前記第２の周波数との比を記憶するクロック比測定部と、前記スリープ状態の期間にわたって前記第２の周波数のクロック数を計測し、前記クロック数と、前記比とから、前記スリープ状態の期間を前記第１の周波数のクロック数に換算するスリープ期間測定部とを有し、前記同期制御部は、前記スリープ状態から前記通常動作状態へ復帰するときに、換算された前記第１の周波数のクロック数をもとに前記拡散符号を前記信号に乗積するタイミングを推定する。
【００１５】
本発明のさらに別の態様は、間欠受信方法に関する。この方法は、比較的高速な第１のクロックを利用して信号を受信および処理する通常動作状態と、比較的低速な第２のクロックを利用して最小限のシステム状態を維持しつつも信号の受信は途絶えるスリープ状態とを繰り返す間欠受信方法において、通常動作状態からスリープ状態への移行に際して前記第１のクロックと前記第２のクロックの周波数比を計測し、スリープ状態では前記第１のクロックを停止しスリープ期間を前記第２のクロックで計測し、スリープ状態から通常動作状態への復帰に際し、前記周波数比をもとにスリープ期間を前記第１のクロックのクロック数に換算して前記第１のクロックによるシステムの同期状態を回復する。
【００１６】
なお、以上の構成要素の任意の組合せ、本発明の表現を方法、装置、システム、記録媒体、コンピュータプログラムなどの間で変換したものもまた、本発明の態様として有効である。
【００１７】
【発明の実施の形態】
図１は、実施の形態に係る通信端末１０の全体構成を示す。通信端末１０は、基地局との間で信号を送受信するアンテナ８０、信号を受信して復調する受信ユニット２０、データを変調して送信する送信ユニット３０、受信ユニット２０および送信ユニット３０を統括的に制御する制御ユニット４０、外部から音声情報を入力するマイク５０、外部へ音声情報を出力するスピーカ６０、外部からキー入力などを受け付ける入力ユニット７０、および着信待受時の間欠受信を制御する間欠受信制御ユニット１００を備える。通信端末１０は、このほか、テキスト情報や画像情報を表示するための表示ユニットなどを備えてもよい。
【００１８】
本実施の形態では、主に、直接拡散方式のＣＤＭＡ通信システムにおいて利用される通信端末１０について説明する。この通信方式においては、通信端末１０は、受信信号に逆拡散符号を同期させて乗積することにより変調信号を取得し、その変調信号を検波してデータを復号する。
【００１９】
図２は、受信ユニット２０の内部構成の一部を示す。受信ユニット２０は、受信信号の不要な周波数帯域を除去するバンドパスフィルタ２２と、受信信号に逆拡散符号を乗積して逆拡散する乗算器２４と、受信信号を検波して復号する信号処理部２６と、受信信号と逆拡散符号との同期をとる同期制御部２８とを含む。受信ユニット２０は、以上の構成のほかに、ゲイン調整のためのアンプや自動利得制御機構、受信信号の周波数をベースバンド帯域へダウンコンバートする機構など、ＣＤＭＡ方式の一般的な移動通信端末に必要な構成を備えるが、これらの構成には、従来知られた技術を利用可能であるので、ここでは説明を省略する。
【００２０】
同期制御部２８は、同期捕捉のためのマッチトフィルタ、同期追跡のための遅延ロックループなどを含む。これらの構成には、従来知られた技術を利用可能である。同期制御部２８は、後述するように、スリープ状態から復帰するときに、同期捕捉のための情報を間欠受信制御ユニット１００から取得し、その情報に基づいてマッチトフィルタなどにより同期捕捉を行う。
【００２１】
図３は、間欠受信制御ユニット１００の内部構成を示す。間欠受信制御ユニット１００の機能は、ハードウエア的には、マイクロコンピュータ、メモリ、その他のＬＳＩで実現できる。
【００２２】
間欠受信制御ユニット１００は、通信端末１０が着信待受状態にあるとき、受信ユニット２０を間欠的にスリープさせることにより消費電力の低減を図る。図４は、受信ユニット２０が信号を間欠受信する様子を示す図である。間欠受信制御ユニット１００は、通信端末１０が着信待受状態に入ると、所定の受信期間の間、受信ユニット２０に信号を受信させて着信の有無を確認する。着信がなければ、所定のスリープ期間（以下、「デフォルトスリープ期間」ともいう）の間、システムクロックを停止させて受信ユニット２０をスリープさせる。そして、デフォルトスリープ期間が経過すると、再びシステムクロックと受信ユニット２０を起動して信号を受信する。スリープ期間中に、ユーザによる発呼要求などの起動要求があったときは、デフォルトスリープ期間の終了を待たずにシステムクロックを起動する。
【００２３】
ＣＤＭＡ通信方式の場合、受信信号を逆拡散するために受信信号と逆拡散符号との同期をとる必要があるが、スリープ期間中にシステムクロックを停止させると、同期タイミングが失われるので、スリープから復帰したときに再び同期捕捉を行う必要がある。そこで、実施の形態では、スリープ期間中も動作しているスリープクロックを用いてスリープ期間を測定することにより、再起動時の逆拡散符号の同期タイミングを推定する。これにより、再起動時の同期捕捉に必要な時間および電力を最小限に抑えることができる。なお、ここでは、受信期間は数十ミリ秒、デフォルトスリープ期間は１、２秒程度である。スリープ期間がせいぜい数秒程度であるから、上記のような推定が有効となる。
【００２４】
システムクロック取得部１０２は、システムクロック生成部２００から、ＣＰＵや各回路などの動作に用いるシステムクロックを取得する。スリープクロック取得部１０４は、スリープクロック生成部２０２から、スリープ時の制御や時計の動作に用いるスリープクロックを取得する。システムクロック取得部１０２とスリープクロック取得部１０４の実体は入力バッファでもよいし、システムクロックとスリープクロックをそれぞれ間欠受信制御ユニット１００内部の要請に応じて分周等する回路でもよいし、これらの回路素子が不要な場合は、単に間欠受信制御ユニット１００に入力するクロック信号のマイクロストリップラインを指すと考えてもよく、要するにクロックを受ける任意の物理構成を指す。ここでは、システムクロックの周波数は１５．３６ＭＨｚであり、スリープクロックの周波数はリアルタイムクロックＩＣにしばしば利用される水晶発振周波数またはその倍数に当たる３２．７６８ｋＨｚである。すなわち、システムクロック生成部２００はスリープクロック生成部２０２よりも速いクロック信号を供給する。速いクロック信号を供給するシステムクロックをスリープ中に停止することで、消費電力の低減を図る。
【００２５】
スリープ期間測定部１０６は、スリープ状態になってから復帰するまでの期間を、システムクロックおよびスリープクロックを用いて測定する。スリープ期間測定部１０６は、まず、スリープ状態に入ってからスリープクロックの最初の立ち上がりまでのシステムクロックの数を計測する。スリープ期間測定部１０６は、スリープクロックの最初の立ち上がりを検出すると、計測対象クロックをスリープクロックに切り替え、以降スリープクロックの数を計測する。スリープ期間測定部１０６は、スリープ状態から通常動作状態へ移行するときに、計測したスリープクロック数を出力する。スリープ期間の終了タイミングは、デフォルトスリープ期間が終了したとき、またはユーザによる起動要求が発生したときである。スリープ期間をスリープクロックで測定することにより、スリープ中にシステムクロックを停止させることができる。
【００２６】
クロック比測定部１０８は、システムクロックとスリープクロックの周波数の比を測定する。スリープ期間測定部１０６は、スリープクロックを用いてスリープ期間を測定しているので、これをシステムクロック数に換算するためにクロック比が必要となる。システムクロックとスリープクロックの周波数は予め決まっているが、クロックを生成する水晶発振器は、温度に依存して周波数に若干のばらつきが出るので、正確な比を取得するために測定を行う。クロック比測定部１０８は、システムクロックの動作中に常時クロック比を測定していてもよいし、スリープ要求があったときにスリープ状態への移行に先立ってクロック比を測定してもよい。
【００２７】
スリープ制御部１１０は、制御ユニット４０などから伝達されるスリープ要求および起動要求を受けて、スリープ状態への移行およびスリープ状態からの復帰を制御する。スリープ制御部１１０は、スリープ要求を検知すると、クロック比測定部１０８に直前のクロック比を記憶させ、スリープ期間測定部１０６に測定開始を指示する。また、電源制御部２０４にメイン電源の停止を指示してスリープ状態へ移行させる。デフォルトスリープ期間が経過すると、電源制御部２０４にメイン電源の起動を指示し、スリープ期間測定部１０６に測定結果の出力を指示する。デフォルトスリープ期間が経過する前に、制御ユニット４０を介してユーザからの起動要求を検知したときは、電源制御部２０４にメイン電源の起動を指示し、スリープクロックの立ち上がりに同期して通常動作状態へ切り替える。スリープ期間の終了をスリープクロックに同期させることで、スリープ期間の測定誤差を最小限に抑えることができる。
【００２８】
図５は、間欠受信制御ユニット１００の動作を説明するための図である。ただし、同図は理解のために動作状態の遷移に必要なプロセスおよび時間を大幅に短縮して模式的に示している。また、システムクロックＨＣＬＫとスリープクロックＬＣＬＫの周波数比も模式的に示され、実際の比と大きく異なることに留意する必要がある。図５は、上段から順に、通常動作モードフラグ（図中ＮＭＤ）、スリープ要求信号（同ＳＬＰＲＱ）、システムクロック（同ＨＣＬＫ）、スリープクロック（同ＬＣＬＫ）、起動要求信号（同ＷＫＲＱ）、メイン電源の電圧（同ＭＰＷ）、メイン電源レディ信号（同ＭＰＷＲＤＹ）を示す。これらのうち、ＭＰＷは実際の電圧であり、それ以外の信号はすべてハイレベルでアクティブな信号である。
【００２９】
まず、時刻Ｔ０に、スリープ制御部１１０がスリープ要求信号ＳＬＰＲＱを検出すると、次のシステムクロックＨＣＬＫの立ち上がりに同期して、通常動作からスリープ状態へ移行する。スリープ期間測定部１０６は、スリープ状態への移行タイミングＴ１から、次のスリープクロックＬＣＬＫの立ち上がりＴ２までの期間ｔ１を、システムクロックの数で測定する。この例の場合、ｔ１はシステムクロックで２クロック分である。正確には２クロックと３クロックの間であるが、切り捨てて２クロックとしてもよいし、切り上げて３クロックとしてもよい。このとき、スリープ制御部１１０は、クロック比測定部１０８に、システムクロックとスリープクロックの周波数の比ｍを記録させておく。
【００３０】
スリープ期間測定部１０６は、スリープクロックＬＣＬＫの立ち上がりＴ２に同期して、計測対象クロックをシステムクロックからスリープクロックに切り替え、以降はスリープクロックの数を測定する。つづいて、スリープ制御部１１０は、電源制御部２０４にメイン電源の停止を指示し、電源制御部２０４は、メイン電源を停止する。これにより、システムクロック生成部２００への電力の供給が停止されてシステムクロックが停止する。スリープクロックはスリープ時にも動作する。
【００３１】
スリープ状態から通常動作に復帰するタイミングは２種類ある。ひとつは、デフォルトスリープ期間が終了するタイミングであり、もうひとつは、ユーザ起動要求信号がアサートされた結果、デフォルトスリープ期間が終了する前に起動要求が検知されたタイミングである。これら２つの場合について、以下に説明する。
【００３２】
図５に示した例では、スリープ要求信号ＳＬＰＲＱがアクティブのままであり、デフォルトスリープ期間が終了する前に、ユーザにより起動要求ＷＫＲＱが発せられている。スリープ制御部１１０は、起動要求ＷＫＲＱを検知すると、電源制御部２０４にメイン電源の起動を指示する。この結果、メイン電源の電圧ＭＰＷが上昇し、メイン電源のレディ信号ＭＰＷＲＤＹがアクティブになる。これによりシステムクロック生成部２００の動作が再開され、システムクロックが再び供給される。スリープ制御部１１０は、スリープクロックの立ち上がりに同期して通常動作へ移行させるが、Ｔ３の時点ではまだ電源が安定しておらず、メイン電源のレディ信号ＭＰＷＲＤＹがＬＯＷ状態にあるので、通常動作への移行を見合わせ、所定のスリープクロック数待つ。スリープ制御部１１０は、Ｔ４の時点でのメイン電源のレディ信号ＭＰＷＲＤＹがアクティブであることを確認して、その次のシステムクロックの立ち上がりに同期して通常動作へ移行させる。
【００３３】
このとき、全スリープ期間ｔは、スリープ状態への移行から最初のスリープクロックの立ち上がりまでの期間ｔ１に測定されたシステムクロック数（この例では２クロック）と、それ以降のスリープクロック数（この例では３クロック）と、スリープクロックの最後の立ち上がりからシステムクロックの立ち上がりまでの期間ｔ３に測定されたシステムクロック数（この例では１クロック）の和で表される。スリープ状態への移行前に記録されていたクロック比ｍを用いてシステムクロック数に換算すると、スリープ期間ｔは、システムクロックで（３＋３ｍ）クロックと表される。これを逆拡散符号長で除してその剰余をとると、再起動時の逆拡散符号の位相が推定できる。この推定結果に基づいて同期制御部２８により同期捕捉が比較的短時間で実現する。
【００３４】
次に、デフォルトスリープ期間が終了したタイミングで通常動作へ移行する場合について説明する。スリープ制御部１１０は、所定のスリープ期間、たとえばスリープクロックで１０クロック分の間スリープ状態を保ち、スリープ期間が終了する前にメイン電源へ起動を指示する。そして、スリープクロックの立ち上がりに同期して通常動作へ移行させる。このとき、スリープ期間ｔは、スリープ状態への移行から最初のスリープクロックの立ち上がりまでの期間ｔ１に測定されたシステムクロック数（この例では２クロック）と、それ以降のスリープクロック数（この例では１０クロック）との和で表される。スリープ状態への移行前に記録されていたクロック比ｍを用いてシステムクロック数に換算すると、スリープ期間ｔは、システムクロックで（２＋１０ｍ）クロックと表される。これを逆拡散符号長で除してその剰余をとると、再起動時の逆拡散符号の位相が推定できる。この推定結果に基づいて同期制御部２８により同期捕捉が行われる。
【００３５】
スリープ期間測定部１０６は、スリープ状態に移行したときにスリープクロックをカウントし、所定の数（上記の例では１０クロック）に達したときに起動要求信号を発するように設計されてもよい。このような構成の場合、スリープ期間が終了する前にユーザなどから起動要求があったときは、そのときのカウンタ値をスリープ期間として記憶し、デフォルトスリープ期間（上記の例では１０）から１を減じた値（上記の例では９）をカウンタにロードする。これにより、通常動作状態への移行のためにこのカウント値を参照する任意の回路の起動または状態遷移のためのオーバーヘッドを最小限にとどめることができ、無駄な処理時間を削減することができる。
【００３６】
以上説明したように、実施の形態によれば、スリープ期間の長さを推定することにより、通常動作に復帰するときの同期捕捉を容易にすることができる。これにより、マッチトフィルタやメモリなど、同期捕捉に必要な構成を簡略化することができ、消費電力の低減、装置の小型化、軽量化、コストの低減に寄与することができる。また、着信待受時に間欠受信を行うことにより、消費電力を低減し、連続待受可能時間を長くすることができる。
【００３７】
以上、本発明を実施の形態をもとに説明した。この実施の形態は例示であり、各構成要素や各処理プロセスの組合せにいろいろな変形例が可能なこと、またそうした変形例も本発明の範囲にあることは当業者に理解されるところである。
【００３８】
実施の形態では、ＤＣ−ＣＤＭＡ方式の通信システムについて説明したが、他の通信方式の場合であっても、実施の形態の検波技術が利用可能である。
【００３９】
スリープ状態に移行するときに、計測対象クロックをシステムクロックからスリープクロックに移行するタイミングや、スリープ状態から通常動作状態へ復帰するタイミングなどは、実施の形態に示した例に限られず、さまざまな設計変更が可能であることは当業者に理解されるところである。要は、スリープ時にシステムクロックを停止するため、その間の時間管理制御クロックをスリープクロックに切り替え、後からそれをシステムクロック単位に換算できるような仕組みになっていればよい。
【００４０】
【発明の効果】
本発明によれば、効率の良い間欠受信技術を提供することができる。
【図面の簡単な説明】
【図１】  実施の形態に係る通信端末の構成図である。
【図２】  受信ユニットの内部構成図である。
【図３】  間欠受信制御ユニットの内部構成図である。
【図４】  受信ユニットが信号を間欠受信する様子を示す図である。
【図５】  間欠受信制御ユニットの動作を説明するための図である。
【符号の説明】
１０  通信端末、  ２０  受信ユニット、  ２８  同期制御部、  ３０  送信ユニット、  ４０  制御ユニット、  １００  間欠受信制御ユニット、  １０２システムクロック取得部、  １０４  スリープクロック取得部、  １０６  スリープ期間測定部、  １０８  クロック比測定部、  １１０  スリープ制御部。
【図１】
0004225706.tif 000002
【図２】
0004225706.tif 000003
【図３】
0004225706.tif 000004
【図４】
0004225706.tif 000005
【図５】
0004225706.tif 000006